(57)【要約】【課題】自己サイホン作用による封水損失減少が発生して、空気を吸引する異音が発生しても、従来の音と比較して音の減少ができる排水トラップを解決する。【解決手段】上部に開放された流入口１と取り入れられた水を貯留する水溜部４と該貯水を外部へ排出する流出口２とを有するトラップ本体３と、上記流入口１から上記水溜部４内へ垂下挿入され該水溜部４と協働して封水深５を形成する防臭パイプ７と、から構成される排水トラップにおいて、水溜部４内に配置される部分の防臭パイプ７に小穴９を開口した。【選択図】  図１
2008002217.tif 000002
【特許請求の範囲】
【請求項１】
上部に開放された流入口１と取り入れられた水を貯留する水溜部４と該貯水を外部へ排出する流出口２とを有するトラップ本体３と、上記流入口１から上記水溜部４内へ垂下挿入され該水溜部４と協働して封水深５を形成する防臭パイプ７と、から構成される排水トラップにおいて、
水溜部４内に配置される部分の防臭パイプ７に小穴９を開口したことを特徴とする排水トラップ。
【請求項２】
前記防臭パイプ７の下端に、内方向へ向かって突出するフランジ部８を構成し、且つ当該フランジ部８に前記小穴９を開口したことを特徴とする前記請求項１に記載の排水トラップ。
【請求項３】
前記防臭パイプ７の側面に前記小穴９を開口したことを特徴とする前記請求項１に記載の排水トラップ。
【請求項４】
前記小穴９を複数開口したことを特徴とする前記請求項１乃至請求項３のいずれか一つに記載の排水トラップ。
【発明の詳細な説明】
【技術分野】
【０００１】
本発明は、下水からの臭気や害虫の室内側への逆流を防ぐ排水トラップに関するものである。
【背景技術】
【０００２】
従来よく知られた、排水トラップとしては、例えば図１０乃至図１４に図示した排水トラップがある。以下に図１０乃至図１４に図示した排水トラップの従来例を、図面を参照しつつ説明する。
図１０乃至図１４に図示した従来例の排水トラップは、以下に記載する浴室の浴槽に取り付けられる。
浴室は、浴槽パン、洗い場パン、浴槽から構成される。
浴槽パンは、浴槽を載置するパンであって、底部に浴槽パン上の排水と浴槽の排水を排水する第１排水口を開口して構成される。尚、第１排水口には、排水エルボと呼ばれる、管状であって側面方向に屈曲して構成される受け部材を下面に接続して構成する。
洗い場パンは、使用者が体を洗うスペースのパンであって、底部に洗い場パン上の排水を排水する第２排水口を開口して構成する。尚、浴槽パンと洗い場パンは並列して構成・設置される。尚、第２排水口には、後記する排水トラップを下面に接続して構成する。
浴槽は、底部に排水用の排水口を開口する槽体であって、浴槽パン上に載置して構成される。このとき、浴槽の排水口は浴槽パンの第１排水口の直上付近と位置されるように設置される。浴槽の排水口から第１排水口までは、筒状の部材を介して接続される。
【０００３】
図１０乃至図１４に図示した従来例の排水トラップは、以下に記載したトラップ本体と、流入口と、流出口と、水溜部と、防臭パイプと、封水深と、封水ラインと、枝管と、から構成され、前記した浴室の浴槽に取り付けられる。
トラップ本体は、箱体であって、前記洗い場パンの第２排水口の下面に取り付けられる部材である。尚、後記する流入口、流出口、水溜部、防臭パイプ、封水深、封水ライン、枝管、を備えて構成される。そして、当該トラップ本体は、第２排水口の排水口に取り付けられ、洗い場パン上の排水を排水する。
流入口は、排水がトラップ本体内に流入するための開口であって、前記トラップ本体の上方に開口されて成る。
流出口は、トラップ本体内の排水を外部へ流出させるための開口であって、排水管と接続されて構成される。
水溜部は、トラップ本体内にオワン状に形成され、内部に流入口から流入した排水を常時貯水できるように構成される。
防臭パイプは、流入口に着脱自在に構成される円筒状の部材であり、その下方が垂下して水溜部に挿入されるように配置される。
封水深は、前記水溜部の中で、封水機能を備える部分であり、水溜部上端から防臭パイプの下端までの高さを指す。当該封水深に水が常時貯水されることにより、下水側の臭気や害虫が室内側へ逆流することがない。
封水ラインは、水溜部の封水深が形成される上方及び下方の水平線を指す。当該従来例では、水溜部上面から防臭パイプ最下端までを示す。
枝管は、前記第１排水口に接続される排水エルボと接続される管体であって、トラップ本体の側面に突出して構成される。尚、当該枝管は、排水エルボと接続されても、排水エルボ側の封水深は備えられるため、下水側の臭気や害虫が排水エルボ側へ逆流することはない。
【０００４】
このように構成された排水トラップは、以下のような排水の流れとなる。
浴槽上で排水が発生すると、浴槽の排水口から浴槽パンの第１排水口、排水エルボへと排水される。排水エルボ内の排水は、排水トラップの枝管へ流入し、トラップ本体内へ流入する。排水はトラップ本体内の水溜部内で封水深を介して流出口から排出され、最終的には下水管へと排水される。また、仮に浴槽パン上に排水が発生しても、第１排水口から排水エルボ側に排出され、枝管、トラップ本体、水溜部、封水深、流出口を介して下水へと排水される。
そして、洗い場パン上で発生した排水は、洗い場パンの第２排水口からトラップ本体内の流入口へ排水される。流入口から防臭パイプ内を通過し、水溜部、封水深を介して流出口から排水される。そして、流出口から最終的には下水管へと排水される。
このようにして、洗い場パン上及び浴槽及び浴槽パン上の排水は、排水トラップを介して最終的には下水へと排水されるように構成される。
【０００５】
【特許文献１】特開２００３−０６４７４９号公報
【特許文献２】特開２００１−２４１０７９号公報
【特許文献３】特開２００１−２３４５６９号公報
【発明の開示】
【発明が解決しようとする課題】
【０００６】
従来例のような排水トラップは、以下のような問題点があった。
通常の排水トラップに存在する問題点として、自己サイホン作用という問題がある。この問題は、浴槽に貯水していたものを一気に排水した場合などや、浴槽に使用者が入浴した際に浴槽からのあふれ水が多量な場合に、排水エルボ及び排水トラップに流入する排水流量が非常に多くなってしまい、排水トラップや枝管、流出口内等の排水管内が排水により満水状態となってしまう。排水管が満水になってしまうと、図１４に示したように負圧により排水が下流へと引き込まれてしまう現象が発生する。そうすると、排水トラップ内の水溜部の排水も同時に下流へと引き込まれてしまい、トラップ本体内の水溜部の封水が損失してしまう（以下、自己サイホン作用と記載）。封水損失が発生して、防臭パイプ下端より封水深の封水が減少すると、防臭パイプ下端から、流入口側の空気を封水深内へと吸引してしまう現象が発生する。また、当該空気の吸引は図１４のように防臭パイプ下端から大きな空気の泡として引き込むので、ゴボゴボ音として大きな音を発生させる。このトラップ本体への空気の吸引が発生すると、流入口が室内に開口されているので、空気を吸引する際の音「ズルー音やゴボゴボ音」が室内側へ発生してしまう。このような異音が発生すると、使用者や居住者にとっては非常に不快な騒音であった。
【０００７】
従って、本発明の排水トラップは、自己サイホン作用による封水損失減少が発生して、空気を吸引する異音が発生しても、従来の音と比較して音の減少ができる排水トラップを解決するために発明された。
【課題を解決するための手段】
【０００８】
請求項１に記載の本発明は、上部に開放された流入口１と取り入れられた水を貯留する水溜部４と該貯水を外部へ排出する流出口２とを有するトラップ本体３と、上記流入口１から上記水溜部４内へ垂下挿入され該水溜部４と協働して封水深５を形成する防臭パイプ７と、から構成される排水トラップにおいて、水溜部４内に配置される部分の防臭パイプ７に小穴９を開口したことを特徴とする排水トラップである。
【０００９】
請求項２に記載の本発明は、前記防臭パイプ７の下端に、内方向へ向かって突出するフランジ部８を構成し、且つ当該フランジ部８に前記小穴９を開口したことを特徴とする前記段落０００８に記載の排水トラップである。
【００１０】
請求項３に記載の本発明は、前記防臭パイプ７の側面に前記小穴９を開口したことを特徴とする前記段落０００８に記載の排水トラップとする排水トラップである。
【００１１】
請求項４に記載の本発明は、前記小穴９を複数開口したことを特徴とする前記段落０００８乃至段落００１０のいずれか一つに記載の排水トラップである。
【発明の効果】
【００１２】
本発明の排水トラップは、以下の効果を奏する。
請求項１に記載の排水トラップは、水溜部４内に配置される部分の防臭パイプ７に小穴９を開口したことから、自己サイホン作用が発生して空気を吸引しても、防臭パイプ７下端から直接的に空気を吸引する前に、防臭パイプ７の小穴９から空気を吸引するので、従来での防臭パイプ７下端からの直接的な吸い込み音と比較して、一度に空気を吸い込む量が少なくなるため、吸引音が小さくなる。具体的には異音が「ゴボゴボ音」ではなく「コポコポ音」となるため、仮に空気を巻き込む異音が発生しても、従来例のように「ズルズル・ゴボゴボ」音のように音が大きくなるようなことはない。
請求項２に記載の排水トラップは、防臭パイプ７の下端に、内方向へ向かって突出するフランジ部８を構成し、且つ当該フランジ部８に小穴９を開口したことから、自己サイホン作用が発生して空気を吸引しても、防臭パイプ７下端から直接的に空気を吸引する前に、防臭パイプ７の小穴９から空気を吸引するので、従来での防臭パイプ７下端からの直接的な吸い込み音と比較して、一度に空気を吸い込む量が少なくなるため、吸引音が小さくなる。具体的には異音が「ゴボゴボ音」ではなく「コポコポ音」となるため、仮に空気を巻き込む異音が発生しても、従来例のように「ズルズル・ゴボゴボ」音のように音が大きくなるようなことはない。
請求項３に記載の排水トラップは、防臭パイプ７の封水ライン６より下方の位置の側面に小穴９を開口したことから、自己サイホン作用が発生して空気を吸引しても、防臭パイプ７下端から直接的に空気を吸引する前に、防臭パイプ７の小穴９から空気を吸引するので、従来での防臭パイプ７下端からの直接的な吸い込み音と比較して、一度に空気を吸い込む量が少なくなるため、吸引音が小さくなる。具体的には異音が「ゴボゴボ音」ではなく「コポコポ音」となるため、仮に空気を巻き込む異音が発生しても、従来例のように「ズルズル・ゴボゴボ」音のように音が大きくなるようなことはない。
請求項４に記載の排水トラップは、小穴９を複数開口したことから、空気の吸引量を大きくすることが出来る上に、小穴９の一個あたりの空気の吸引面積が従来例と比較して小さいことから、空気の吸引量を従来例と同等としながら、空気泡を従来例と比較して小さくすることができるので、空気の吸引音を従来例と比較して小さくすることが出来る。
【実施例】
【００１３】
以下に本発明の第１実施例を、図面を参照しつつ説明する。
図１乃至図３に図示した本実施例の排水トラップは、以下に記載する浴室の浴槽１０に取り付けられる。
浴室は、浴槽パン１１、洗い場パン１３、浴槽１０から構成される。
浴槽パン１１は、浴槽１０を載置するパンであって、底部に浴槽パン１１上の排水と浴槽１０の排水を排水する第１排水口１２を開口して構成される。尚、第１排水口１２には、排水エルボ１５と呼ばれる、管状であって側面方向に屈曲して構成される受け部材を下面に接続して構成する。
洗い場パン１３は、使用者が体を洗うスペースのパンであって、底部に洗い場パン１３上の排水を排水する第２排水口１４を開口して構成する。尚、浴槽パン１１と洗い場パン１３は並列して構成・設置される。尚、第２排水口１４には、後記する排水トラップを下面に接続して構成する。
浴槽１０は、底部に排水用の排水口１６を開口する槽体であって、浴槽パン１１上に載置して構成される。このとき、浴槽１０の排水口１６は浴槽パン１１の第１排水口１２の直上付近と位置されるように設置される。浴槽１０の排水口１６から第１排水口１２までは、筒状の部材を介して接続される。
【００１４】
図１乃至図３に図示した本実施例の排水トラップは、以下に記載したトラップ本体３と、流入口１と、流出口２と、水溜部４と、防臭パイプ７と、封水深５と、封水ライン６と、枝管１８と、から構成され、前記した浴室の浴槽１０に取り付けられる。
トラップ本体３は、箱体であって、前記洗い場パン１３の第２排水口１４の下面に取り付けられる部材である。尚、後記する流入口１、流出口２、水溜部４、防臭パイプ７、封水深５、封水ライン６、枝管１８、を備えて構成される。そして、当該トラップ本体３は、第２排水口１４に取り付けられ、洗い場パン１３上の排水を排水する。
流入口１は、排水がトラップ本体３内に流入するための開口であって、前記トラップ本体３の上方に開口されて成る。
流出口２は、トラップ本体３内の排水を外部へ流出させるための開口であって、排水管１７と接続されて構成される。
水溜部４は、トラップ本体３内にオワン状に形成され、内部に流入口１から流入した排水を常時貯水できるように構成される。
防臭パイプ７は、流入口１に着脱自在に構成される円筒状の部材であり、その下方が垂下して水溜部４に挿入されるように配置される。尚、本実施例では、防臭パイプ７の下端を、内方向且つ下方へ傾斜して突出構成されるフランジ部８を構成するとともに、このフランジ部８に複数の小穴９を開口して構成される。
封水深５は、前記水溜部４の中で、封水機能を備える部分であり、水溜部４上面からから防臭パイプ７の小穴９高さまでを指す。当該封水深５に水が常時貯水され、更に防臭パイプ７が水溜部４内に挿入されていることにより、下水側の臭気や害虫が室内側へ逆流することがない。
封水ライン６は、水溜部４の封水深５が形成される上方及び下方の水平線を指す。尚、前記防臭パイプ７の小穴９高さが封水ライン６の下方の高さとなる。
枝管１８は、前記第１排水口１２に接続される排水エルボ１５と接続される管体であって、トラップ本体３の側面に突出して構成される。尚、当該枝管１８は、排水エルボ１５と接続されても、排水エルボ１５側の封水深５は備えられるため、下水側の臭気や害虫が排水エルボ１５側へ逆流することはない。
【００１５】
このように構成された排水トラップは、以下のような排水の流れとなる。
浴槽１０上で排水が発生すると、浴槽１０の排水口１６から浴槽パン１１の第１排水口１２から排水エルボ１５へと排水される。排水エルボ１５内の排水は、排水トラップの枝管１８へ流入し、トラップ本体３内へ流入する。トラップ本体３内の水溜部４内で封水深５を介して流出口２から排出され、最終的には下水管へと排水される。また、仮に浴槽パン１１上に排水が発生しても、第１排水口１２から排水エルボ１５側に排出され、枝管１８、トラップ本体３、水溜部４、封水深５、流出口２を介して下水へと排水される。
そして、洗い場パン１３上で発生した排水は、洗い場パン１３の第２排水口１４からトラップ本体３内の流入口１へ排水される。流入口１から防臭パイプ７内を通過し、水溜部４、封水深５を介して流出口２から排水される。そして、流出口２から最終的には下水管へと排水される。
このようにして、洗い場パン１３上及び浴槽１０及び浴槽パン１１上の排水は、排水トラップを介して最終的には下水へと排水されるように構成される。
【００１６】
また、上記のように構成された排水トラップは、以下のような構成のため、自己サイホン作用が発生した際に、水溜部４の封水深５の封水損失が発生して流入口１から空気の吸い込み現象が発生しても、図３に示したように、まず最初に防臭パイプ７に開口された小穴９から空気を吸い込むことができる。このように構成したので、従来のように防臭パイプ７下端から直接的に空気を吸い込むよりも、吸い込み分の開口面積が小さいため空気の吸い込み量が少なくなり、異音が小さくなる。また、具体的には空気の吸引が、従来の大きな空気泡から小さな空気泡へと変わることが出来たので、従来の「ゴボゴボ音」から「コポコポ音」とすることが出来る。
【００１７】
以下に本発明の第２実施例を、図面を参照しつつ説明する。
図４乃至図６に図示した本実施例の排水トラップは、以下に記載する浴室の浴槽１０に取り付けられる。
浴室は、浴槽パン１１、洗い場パン１３、浴槽１０から構成される。
浴槽パン１１は、浴槽１０を載置するパンであって、底部に浴槽パン１１上の排水と浴槽１０の排水を排水する第１排水口１２を開口して構成される。尚、第１排水口１２には、排水エルボ１５と呼ばれる、管状であって側面方向に屈曲して構成される受け部材を下面に接続して構成する。
洗い場パン１３は、使用者が体を洗うスペースのパンであって、底部に洗い場パン１３上の排水を排水する第２排水口１４を開口して構成する。尚、浴槽パン１１と洗い場パン１３は並列して構成・設置される。尚、第２排水口１４には、後記する排水トラップを下面に接続して構成する。
浴槽１０は、底部に排水用の排水口１６を開口する槽体であって、浴槽パン１１上に載置して構成される。このとき、浴槽１０の排水口１６は浴槽パン１１の第１排水口１２の直上付近と位置されるように設置される。浴槽１０の排水口１６から第１排水口１２までは、筒状の部材を介して接続される。
【００１８】
図４乃至図６に図示した本実施例の排水トラップは、以下に記載したトラップ本体３と、流入口１と、流出口２と、水溜部４と、防臭パイプ７と、封水深５と、封水ライン６と、枝管１８と、から構成され、前記した浴室の浴槽１０に取り付けられる。
トラップ本体３は、箱体であって、前記洗い場パン１３の第２排水口１４の下面に取り付けられる部材である。尚、後記する流入口１、流出口２、水溜部４、防臭パイプ７、封水深５、封水ライン６、枝管１８、を備えて構成される。そして、当該トラップ本体３は、第２排水口１４に取り付けられ、洗い場パン１３上の排水を排水する。
流入口１は、排水がトラップ本体３内に流入するための開口であって、前記トラップ本体３の上方に開口されて成る。
流出口２は、トラップ本体３内の排水を外部へ流出させるための開口であって、排水管１７と接続されて構成される。
水溜部４は、トラップ本体３内にオワン状に形成され、内部に流入口１から流入した排水を常時貯水できるように構成される。
防臭パイプ７は、流入口１に着脱自在に構成される円筒状の部材であり、その下方が垂下して水溜部４に挿入されるように配置される。尚、本実施例では、防臭パイプ７の内周面の途中位置に、内方向突出し、且つ下方へ傾斜して構成されるフランジ部８を構成するとともに、このフランジ部８に複数の小穴９を開口して構成される。
封水深５は、前記水溜部４の中で、封水機能を備える部分であり、水溜部４上面からから防臭パイプ７の小穴９高さまでを指す。当該封水深５に水が常時貯水され、更に防臭パイプ７が水溜部４内に挿入されていることにより、下水側の臭気や害虫が室内側へ逆流することがない。
封水ライン６は、水溜部４の封水深５が形成される上方及び下方の水平線を指す。尚、前記防臭パイプ７の下端が封水ライン６の下方の高さとなる。
枝管１８は、前記第１排水口１２に接続される排水エルボ１５と接続される管体であって、トラップ本体３の側面に突出して構成される。尚、当該枝管１８は、排水エルボ１５と接続されても、排水エルボ１５側の封水深５は備えられるため、下水側の臭気や害虫が排水エルボ１５側へ逆流することはない。
【００１９】
このように構成された排水トラップは、以下のような排水の流れとなる。
浴槽１０上で排水が発生すると、浴槽１０の排水口１６から浴槽パン１１の第１排水口１２から排水エルボ１５へと排水される。排水エルボ１５内の排水は、排水トラップの枝管１８へ流入し、トラップ本体３内へ流入する。トラップ本体３内の水溜部４内で封水深５を介して流出口２から排出され、最終的には下水管へと排水される。また、仮に浴槽パン１１上に排水が発生しても、第１排水口１２から排水エルボ１５側に排出され、枝管１８、トラップ本体３、水溜部４、封水深５、流出口２を介して下水へと排水される。
そして、洗い場パン１３上で発生した排水は、洗い場パン１３の第２排水口１４からトラップ本体３内の流入口１へ排水される。流入口１から防臭パイプ７内を通過し、水溜部４、封水深５を介して流出口２から排水される。そして、流出口２から最終的には下水管へと排水される。
このようにして、洗い場パン１３上及び浴槽１０及び浴槽パン１１上の排水は、排水トラップを介して最終的には下水へと排水されるように構成される。
【００２０】
また、上記のように構成された排水トラップは、以下のような構成のため、自己サイホン作用が発生した際に、水溜部４の封水深５の封水損失が発生して流入口１から空気の吸い込み現象が発生しても、図６に示したように、まず最初に防臭パイプ７に開口された小穴９から空気を吸い込むことができる。このように構成したので、従来のように防臭パイプ７下端から直接的に空気を吸い込むよりも、吸い込み分の開口面積が小さいため空気の吸い込み量が少なくなり、異音が小さくなる。また、具体的には空気の吸引が、従来の大きな空気泡から小さな空気泡へと変わることが出来たので、従来の「ゴボゴボ音」から「コポコポ音」とすることが出来る。
【００２１】
以下に本発明の第３実施例を、図面を参照しつつ説明する。
図７乃至図９に図示した本実施例の排水トラップは、以下に記載する浴室の浴槽１０に取り付けられる。
浴室は、浴槽パン１１、洗い場パン１３、浴槽１０から構成される。
浴槽パン１１は、浴槽１０を載置するパンであって、底部に浴槽パン１１上の排水と浴槽１０の排水を排水する第１排水口１２を開口して構成される。尚、第１排水口１２には、排水エルボ１５と呼ばれる、管状であって側面方向に屈曲して構成される受け部材を下面に接続して構成する。
洗い場パン１３は、使用者が体を洗うスペースのパンであって、底部に洗い場パン１３上の排水を排水する第２排水口１４を開口して構成する。尚、浴槽パン１１と洗い場パン１３は並列して構成・設置される。尚、第２排水口１４には、後記する排水トラップを下面に接続して構成する。
浴槽１０は、底部に排水用の排水口１６を開口する槽体であって、浴槽パン１１上に載置して構成される。このとき、浴槽１０の排水口１６は浴槽パン１１の第１排水口１２の直上付近と位置されるように設置される。浴槽１０の排水口１６から第１排水口１２までは、筒状の部材を介して接続される。
【００２２】
図７乃至図９に図示した本実施例の排水トラップは、以下に記載したトラップ本体３と、流入口１と、流出口２と、水溜部４と、防臭パイプ７と、封水深５と、封水ライン６と、枝管１８と、から構成され、前記した浴室の浴槽１０に取り付けられる。
トラップ本体３は、箱体であって、前記洗い場パン１３の第２排水口１４の下面に取り付けられる部材である。尚、後記する流入口１、流出口２、水溜部４、防臭パイプ７、封水深５、封水ライン６、枝管１８、を備えて構成される。そして、当該トラップ本体３は、第２排水口１４に取り付けられ、洗い場パン１３上の排水を排水する。
流入口１は、排水がトラップ本体３内に流入するための開口であって、前記トラップ本体３の上方に開口されて成る。
流出口２は、トラップ本体３内の排水を外部へ流出させるための開口であって、排水管１７と接続されて構成される。
水溜部４は、トラップ本体３内にオワン状に形成され、内部に流入口１から流入した排水を常時貯水できるように構成される。
防臭パイプ７は、流入口１に着脱自在に構成される円筒状の部材であり、その下方が垂下して水溜部４に挿入されるように配置される。尚、本実施例では、防臭パイプ７側面に複数の小穴９を開口して構成している。
封水深５は、前記水溜部４の中で、封水機能を備える部分であり、水溜部４上面から防臭パイプ７の小穴９高さまでを指す。当該封水深５に水が常時貯水され、更に防臭パイプ７が水溜部４内に挿入されていることにより、下水側の臭気や害虫が室内側へ逆流することがない。
封水ライン６は、水溜部４の封水深５が形成される上方及び下方の水平線を指す。尚、前記防臭パイプ７の小穴９高さが封水ライン６の下方の高さとなる。
枝管１８は、前記第１排水口１２に接続される排水エルボ１５と接続される管体であって、トラップ本体３の側面に突出して構成される。尚、当該枝管１８は、排水エルボ１５と接続されても、排水エルボ１５側の封水深５は備えられるため、下水側の臭気や害虫が排水エルボ１５側へ逆流することはない。
【００２３】
このように構成された排水トラップは、以下のような排水の流れとなる。
浴槽１０上で排水が発生すると、浴槽１０の排水口１６から浴槽パン１１の第１排水口１２から排水エルボ１５へと排水される。排水エルボ１５内の排水は、排水トラップの枝管１８へ流入し、トラップ本体３内へ流入する。トラップ本体３内の水溜部４内で封水深５を介して流出口２から排出され、最終的には下水管へと排水される。また、仮に浴槽パン１１上に排水が発生しても、第１排水口１２から排水エルボ１５側に排出され、枝管１８、トラップ本体３、水溜部４、封水深５、流出口２を介して下水へと排水される。
そして、洗い場パン１３上で発生した排水は、洗い場パン１３の第２排水口１４からトラップ本体３内の流入口１へ排水される。流入口１から防臭パイプ７内を通過し、水溜部４、封水深５を介して流出口２から排水される。そして、流出口２から最終的には下水管へと排水される。
このようにして、洗い場パン１３上及び浴槽１０及び浴槽パン１１上の排水は、排水トラップを介して最終的には下水へと排水されるように構成される。
【００２４】
また、上記のように構成された排水トラップは、以下のような構成のため、自己サイホン作用が発生した際に、水溜部４の封水深５の封水損失が発生して流入口１から空気の吸い込み現象が発生しても、図９に示したように、まず最初に防臭パイプ７に開口された小穴９から空気を吸い込むことができる。このように構成したので、従来のように防臭パイプ７下端から直接的に空気を吸い込むよりも、吸い込み分の開口面積が小さいため空気の吸い込み量が少なくなり、異音が小さくなる。また、具体的には空気の吸引が、従来の大きな空気泡から小さな空気泡へと変わることが出来たので、従来の「ゴボゴボ音」から「コポコポ音」とすることが出来る。
【００２５】
また、本発明の実施例は上記に記載した実施例のほかにも、特許請求の範囲を逸脱しない範囲で適宜変更は可能である。
上記実施例では防臭パイプ７の小穴９の開口を複数構成しているが、単純に一つ開口する形状でも構わない。
上記実施例では防臭パイプ７のフランジ部８を下方に傾斜して構成しているが、傾斜角度についてはいずれの角度でも構わない。
【図面の簡単な説明】
【００２６】
【図１】本発明の第１実施例を示す断面図である。
【図２】本発明の第１実施例の施工状態を示す断面図である。
【図３】本発明の第１実施例の自己サイホン発生時の封水状況を示す断面図である。
【図４】本発明の第２実施例を示す断面図である。
【図５】本発明の第２実施例の施工状態を示す断面図である。
【図６】本発明の第２実施例の自己サイホン発生時の封水状況を示す断面図である。
【図７】本発明の第３実施例を示す断面図である。
【図８】本発明の第３実施例の施工状態を示す断面図である。
【図９】本発明の第３実施例の自己サイホン発生時の封水状況を示す断面図である。
【図１０】従来例を示す断面図である。
【図１１】従来例を示す断面図である。
【図１２】従来例を示す断面図である。
【図１３】従来例を示す断面図である。
【図１４】従来例の自己サイホン発生時の封水状況を示す断面図である。
【符号の説明】
【００２７】
１    流入口
２    流出口
３    トラップ本体
４    水溜部
５    封水深
６    封水ライン
７    防臭パイプ
８    フランジ部
９    小穴
１０  浴槽
１１  浴槽パン
１２  第１排水口
１３  洗い場パン
１４  第２排水口
１５  排水エルボ
１６  排水口
１７  排水管
【図１】
2008002217.tif 000003
【図２】
2008002217.tif 000004
【図３】
2008002217.tif 000005
【図４】
2008002217.tif 000006
【図５】
2008002217.tif 000007
【図６】
2008002217.tif 000008
【図７】
2008002217.tif 000009
【図８】
2008002217.tif 000010
【図９】
2008002217.tif 000011
【図１０】
2008002217.tif 000012
【図１１】
2008002217.tif 000013
【図１２】
2008002217.tif 000014
【図１３】
2008002217.tif 000015
【図１４】
2008002217.tif 000016